(57)【要約】【目的】この発明は、主に洗濯物などを、簡易的に室内に干す為の、吊り下げ器具に関するもので、今まで干す事ができなかった柱などに干す事を可能にし、また、柱などには一切傷を付けず、しかも、簡単に脱着する事を可能にする。【構成】２本の腕状部材を交差させて、回転自在にピン結合し、その端部に取り付けた糸状部材を引く事で物体を挟んで保持する様に構成する。このクリップを柱に水平に取り付ける。クリップ下部の柱に密着させたプレートから上方に向けて棒状部材を取り付ける。洗濯物等を吊るした糸状部材を、棒状部材先端のガイドを通してクリップの糸状部材に連結する。洗濯物の荷重により本発明品は柱に固定され、脱落しない。【選択図】  図３
2004174196.tif 000002
【特許請求の範囲】
【請求項１】
以下の様に構成した事を特徴とする、アーム型の吊り下げ装置。
１，２本の腕状部材を、回転自在にピン結合または嵌め合せ、腕状部材を開閉する事で、物体を挟んで掴める様に構成し、物体を掴む側とは反対側の、腕先端近傍と腕先端近傍とを、腕の開閉を妨げない部材で連結し、この連結部材に、物体を吊り下げる、または、引っ張り荷重を加える事で、腕状部材が閉じて、物体を挟む力が発生する様に装置する。
以上の様に、２本の腕状部材に、別の部材を通じて、間接的に外力を加える事で、物体を挟んで保持する様、構成する。この構成を、以後、クリップと呼ぶ。
前述の、腕の開閉を妨げない部材とは、ピン結合された複数の部材または、糸やワイヤーなどの部材または、軟質樹脂やゴムなどの弾性部材を指す。また、連結部材に品物を吊り下げたり、引っ張り荷重を加える部分を、以後、引張部と呼ぶ。
２，略平面を有する部材の、略平面側と反対側に、棒または、これに類する細長い部材を取り付け、前記棒状部材は、連結部材を含めたクリップの全長よりも、長く構成する。この、略平面を有する部材を、以後、プレートと呼ぶ。また、プレートの平面部と、取り付けられた棒状部材の角度は、１度以上８９度以下とし、その取り付け方法は、差し込み、揺動可能なピン結合、または、一体成形とする。
３，前記棒状部材の、プレートと反対側の端部近傍に、糸状部材の引っ張り方向を変更させる為の、ガイド機構を設ける。ガイド機構とは、貫通孔や凹形状部を成形する構成や、リング・フック・滑車などを、棒状部材先端近傍に取り付ける等の構成を指す。
４，クリップの引張部に、糸状部材を取り付け、反対側端部に、品物を吊り下げる為の装置を構成する。品物を吊り下げる為の装置とは、糸状部材の先端を、釣針型や輪状に成形する方法や、フック・リング・バイス・洗濯バサミなどを、糸の先端に取りつける構成など、洗濯物やハンガー等を吊るす為の一般的な方法を指す。
５，クリップは、柱や窓枠などの物体を、略水平方向に掴む。プレートは、クリップよりも下側に配置し、平面部を柱などの物体に当てる。棒状部材は、水平より上向きの角度に装置する。クリップの引張部に取り付けた糸状部材は、略水平に張り、棒状部材端部のガイド機構を経由して下向きに垂らし、その先端の吊り下げ装置に、品物を吊り下げ可能に構成する。
【請求項２】
クリップとプレートを連結し、柱等を掴んで保持したクリップにより、プレートを吊り下げた事を特徴とする、請求項１に記載の、アーム型の吊り下げ装置。
連結とは、柱等に取り付けたクリップにより、プレートの自重を受ける為の構成で、下記の装置または、これに類する装置を指す。
１，別の部材の両端に、プレートとクリップを取り付ける事で、連結する。
２，プレートの一部分を伸ばし、その先端を、クリップに取り付ける。
３，プレートに別の部品を取り付ける又は、プレートの一部を伸ばし、その端部を、クリップが柱などを掴む際に、同時に掴む事で、プレートを吊り下げる。
【請求項３】
ゴムなどの軟質部材からなるプレートに、樹脂や金属などの硬質部材からなる棒状部材を取り付ける、または、プレートに、棒状部材を揺動自在に取り付ける。上記構成で、クリップの引張部と、棒状部材の先端近傍を連結するとともに、棒状部材の先端近傍に、品物を吊り下げる為の形状・器具を装置した事を特徴とする、請求項１〜２に記載の、アーム型の吊り下げ器具。
品物を吊り下げる形状・器具とは、棒状部材先端に、孔・凹部・凹凸形状などを設ける、または、リング、フック、バイス、洗濯バサミ状の装置などを、棒状部材の先端近傍から洗濯物等を吊り下げる為の、一般的な方法を指す。
【請求項４】
棒状部材とプレートの差し込み部は、軸の回転方向を規制した異形断面とし、棒状部材をプレートに取り付ける際、ガイド部が、所定の向き以外では差し込み不可能に構成した事を特徴とする、請求項１〜３に記載の、アーム型の吊り下げ装置。
【請求項５】
クリップ本体である２本の腕状部材を、ゴムまたはスプリング等の弾性部材で連結し、外力が加わらない状況下では、物体を挟んで掴む部分が、閉じる状態で保持される様に構成し、また、腕状部材に、指で開閉操作を行う為の孔、凹部または、粗面を設けた事を特徴とする、請求項１〜４に記載の、アーム型の吊り下げ装置。
【請求項６】
プレートを、柱などに脱着自在に取り付ける為、以下のいずれかの構成をした事を特徴とする、請求項１〜５に記載の、アーム型の吊り下げ装置。
１，平面部分に吸盤を取り付ける、または、平面部分を吸盤に成形する。
２，プレート本体に、ゴムやスプリング等の弾性部材を使用した、腕状部材開閉式の取り付け装置を設け、柱などを掴んで固定される様に構成する。すなわち、洗濯バサミ等の本体に、棒状部材を取り付ける様な構成を指す。
３，弾性部材を使用した洗濯バサミ状の装置に、プレートを吊り下げる様、構成する。
４，平面部分に、細い針状の突起または、両面テープを取り付ける。
５，平面部分をゴム等で製造し、摩擦力を大きくする。
【請求項７】
クリップの本体となる腕状部材に、糸またはワイヤー等を取り付ける際、以下のいずれかの構成をした事を特徴とする、請求項１〜６に記載の、アーム型の吊り下げ装置。
１，腕状部材を樹脂成形し、成形時に、糸状部材の端部を腕内に差し込んで固める。
２，糸状部材の端部を折り曲げるまたは、縛ってコブを作る、または、別部材を取り付けておき、腕状部材の凹部や孔に、引っ掛ける。
３，糸状部材の端部を折り曲げるまたは、縛ってコブを作る、または、別部材を取り付けておき、腕状部材の成形時に、端部を腕状部材内に差し込んで固める。
４，糸状部材を、腕状部材に縛り付ける、または、腕状部材の一部を変形させて糸状部材を固定する。
５，接着材または粘着材または、ハンダ等で取り付ける。
６，糸状部材は、腕状部材と同じ材料とし、一体成形する。
【発明の詳細な説明】
【０００１】
【発明の属する技術分野】
この発明は、主に洗濯物などを、簡易的に室内に干す為の、吊り下げ器具に関する。
【０００２】
【従来の技術】
室内に洗濯物などを干す場合、大型で専用の室内物干し器具は市販されている。また、壁にハンガーなどを掛ける場合は、壁に釘などを打ち込むか、接着剤や吸盤等でフック等を、壁や柱に貼り付ける方法があった。
【０００３】
【発明が解決しようとしている課題】
室内用の物干し器具は、晴天の未使用時には邪魔になる。壁に掛ける方法では、家の壁や柱に傷が付く恐れが有り、接着剤は作業性が悪く、吸盤は相手物が平面以外では使えなかった。また、この方法では洗濯物が壁に張り付く為、乾きが悪い。
柱などから腕状部材を出して洗濯物を吊る器具も市販されているが、家の柱に傷を付ける必要がある上、不要な時に簡単に取り外す事ができない。
【０００４】
【課題を解決する為の手段】
洗濯物などの自重で柱などを挟んで掴む構造のクリップと、棒状の部材を使い、柱などには、一切傷を付けず、しかも、脱着が極めて簡単な装置が、本発明である。
吊られる品物の自重に比例して掴む力を発揮するので、強力なスプリングも不要で、誰でも簡単に取り付け、取り外しができる。
垂直な柱、窓枠、ドアの端部など、今までは洗濯物が干せなかった場所に、簡単に干す事ができる。柱等をはさむ部分にゴム等の軟質部材を用いれば、傷をつける事も無い。
【０００５】
【発明の実施の形態】
本発明の実施例を、図１〜４を引用し、請求項１〜７の内容に沿って述べる。
【０００６】
図１の様に、腕状部材２を３でピン結合し、腕の開閉によって物体を掴める様に構成する。腕状部材の端部５に、糸状の部材６を取り付け、７のリングに引っ張り荷重を加えれば、１が閉じて、物体を挟んで掴む事ができる。６は、糸やワイヤーが適しているが、腕２の開閉を妨げなければ、パンタグラフの様に、棒状の部材をピン結合したものでも良い。
尚、図１の構成をクリップ２０と呼ぶ。
【０００７】
次に、図２の様に、平面８を有するプレート９に、棒状部材１０を取り付ける。棒状部材の先端部には、糸状部材のガイドとして、孔１１を設ける。棒状部材は、上向きの角度に保持できる様に、プレート９には支持部１６を設ける。糸状部材には、連結装置１２と、吊り下げ装置として、１４のリングなどを取り付る。
【０００８】
そして最後に、図３の様に、柱にクリップ２０を取り付け、プレート９をその下に装置すると共に、７と１２を連結する。
以上の構成で、吊り下げ装置１４に洗濯物などを吊るすと、その重さで糸状部材に張力が発生し、ガイド部１１でその方向が変換され、７のリングに張力が伝わる。この張力により、クリップ２０は、柱を挟んで保持するので、本発明品は洗濯物等を柱に吊るす事ができる。尚、プレート９には、糸状部材の張力が棒状部材１０を通じて加わる為、平面部８と柱２１との摩擦力により、柱から脱落する事は無い。以上が、請求項１の実施例である。
【０００９】
図２の様に、プレート９に１８の糸を付け、先端にリング１９を取り付ける。請求項１の様に構成する際、最初にクリップを柱に取り付け、次に、リング１９をクリップにかければ、プレートは落下せず、簡単に請求項１の構成を形成する事ができる。プレートとクリップを連結する種々の方法は、請求項２に記載の通りである。以上が、請求項２の実施例である。
【００１０】
図２において、プレートを軟質部材で成形し、棒状部材取り付け部の根元１７を揺動自在とする。この状態で、棒状部材１０先端のガイド１１部分で、糸状部材１３を固定する。この構成により、ガイド１１が貫通孔で、糸状部材が滑動自在に構成している場合と、同じ機能をはたす事ができる。以上が、請求項３の実施例である。
【００１１】
棒状部材１０をプレートの支持部１６に取り付ける際、ガイド１１が所定の向きにならないと、糸状部材のガイド機能がはたせない。そこで、棒状部材を差し込む穴１５の形状を、図４の様に異形とする。棒状部材１０にも、２２の形状を設ける事で、必ず同じ向きにガイド１１を装置する事ができる。以上が、請求項４の実施例である。
【００１２】
図１で、腕２をゴムやスプリング等の弾性部材４で連結しておけば、クリップ２０はリング７に荷重を加えなくても柱２１などに保持できる為、便利である。また、腕２の表面を粗面にしたり、凹凸をつけたり、指を入れる孔を開ける等の構成により、さらに脱着性が高くなる。
指を入れる孔は、例えば図１で、弾性部材を取り付ける孔２３を、大きくするだけでも、その目的は達成できる。以上が、請求項５の実施例である。
【００１３】
プレート９は、請求項２に記載した様に、クリップ２０で吊り下げる方法があるが、プレート９単体で柱に取り付けておいても、その機能を満足できる。その為の方法が、請求項６に記載の内容であり、弾性部材で保持する，吸着する，接着するなどの構成を指す。
【００１４】
図１で、腕状部材２と、糸状部材６の連結部は、何らかの方法で固定しなければ、その機能を達成する事ができない。その為の構成が、請求項７に記載の内容である。
【００１５】
【本発明の効果】
本発明によれば、今まで使用されていなかった柱などに、洗濯物などを吊り下げて干す事が可能で、しかも、使用しない時は、簡単にはずして片付ける事ができる。
【図面の簡単な説明】
【図１】本発明の、請求項１と５と７の説明図で、クリップ２０を表す。
【図２】本発明の、請求項１と２と３の説明図で、プレート９と棒状部材１０の構成を表す。
【図３】本発明の、請求項１と２と３と６の説明図で、本発明全体の構成を表す。
【図４】本発明の、請求項４の説明図である。
【符号の説明】
１、物体を挟み、掴む部分。
２、本発明の骨格となる、腕状部材。
３、回転自在に保持する、ピン結合部。リベット、ピン、ボルト・ナット等を用いる。
４、ゴムやスプリング等の弾性部材。
５、腕２に、糸状部材６を取り付ける部分。
６、糸状部材。ピン結合された棒状部材でも代用できる。
７、引っ張り荷重を加える為の、リングなどの装置。無くても可。
８、プレートの平面部で、柱等に密着させる面を指す。
９、棒状部材を保持する為のプレート。
１０、棒状部材
１１、棒状部材先端付近の、ガイド部。糸状部材の方向を変える。
１２、糸状部材先端に取り付けられた、リング７との連結装置。
１３、洗濯物等の荷重を、クリップに伝える為の糸状部材。
１４、洗濯物等を吊り下げる装置で、リングなどを指す。
１５、棒状部材の取り付け部。
１６、プレートに取り付けられた、棒状部材の保持装置。
１７、プレートに、棒状部材保持装置を取り付けまたは、一体成形する部分。
１８、プレートを吊り下げる為の、糸状部材。
１９、プレートを吊り下げる為の、引っ掛け具。
２０、クリップ全体を指す。
２１、家の柱や窓枠やドアの端部などを指す。
２２、棒状部材とプレートを連結する際の、回転方向規制構造。
２３、弾性部材の取り付け部。
【図１】
2004174196.tif 000003
【図２】
2004174196.tif 000004
【図３】
2004174196.tif 000005
【図４】
2004174196.tif 000006